【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
１つまたは複数のベンチマーク定義を含む電子データ構造であって、
前記電子データ構造は、ＳＧＭＬベースの言語によって読出し可能なフォーマットを有するファイルである、
ことを特徴とする電子データ構造。
【請求項２】
前記ファイルはＸＭＬファイルである、請求項１記載の電子データ構造。
【請求項３】
前記ファイルはＨＴＭＬファイルである、請求項１または２記載の電子データ構造。
【請求項４】
前記ファイルはさらにベンチマークデータを含む、請求項１から３までのいずれか１項または複数項記載の電子データ構造。
【請求項５】
コンピュータシステム内で実行される１つまたは複数のプロセスによって、請求項１から４までのいずれかに記載の電子データ構造を処理する方法であって、
前記１つまたは複数の電子データ構造内に含まれている１つまたは複数のベンチマーク定義またはベンチマークデータを、ビジネスプロセスをサポートするためのデータ構造またはソフトウェア内に組込むことを含む、
ことを特徴とする電子データ構造を処理する方法。
【請求項６】
前記ベンチマーク定義の組込みを自動的に行い、
１つまたは複数の前記電子データ構造を読出すステップと、
１つまたは複数の前記電子データ構造内のベンチマーク定義に対する１つまたは複数のキーワードを認識するステップと、
１つまたは複数の当該キーワードによって識別された情報をデータベース構造内に書き込むステップと、を含む、請求項５記載の方法。
【請求項７】
前記ベンチマークデータの組込みを自動的に行い、
１つまたは複数の前記電子データ構造を読出すステップと、
１つまたは複数の前記電子データ構造内のベンチマークデータに対する１つまたは複数のキーワードを認識するステップと、
１つまたは複数の当該キーワードによって識別された情報をデータベース構造内に書き込むステップと、を含む、請求項５または６記載の方法。
【請求項８】
キーワードによって識別された前記情報と、前記情報が書き込まれているデータベース構造を相互にアルゴリズムによって割り当てる、請求項６または７記載の方法。
【請求項９】
前記アルゴリズムは１つまたは複数のテーブルまたは、１つまたは複数の規則を含む、請求項８記載の方法。
【請求項１０】
１つまたは複数の前記規則は１つまたは複数のテーブルに含まれている、請求項９記載の方法。
【請求項１１】
前記データベース構造は事前に定められる、請求項７から１０までのいずれか１項または複数項に記載の方法。
【請求項１２】
前記電子データ構造内に含まれているベンチマーク定義を、ビジネスプロセスをサポートするためのソフトウェア内に含まれている相当するベンチマーク定義に、テーブルを用いてマッピングし、
当該テーブル内では、前記電子データ構造内のベンチマーク定義の第１のＩＤが、ビジネスプロセスをサポートするためのソフトウェア内のベンチマーク定義の第２のＩＤに割り当てられている、請求項５から１１までのいずれか１項または複数項に記載の方法。
【請求項１３】
ビジネスプロセスをサポートするためのソフトウェア、殊に企業資源計画ソフトウェアでの使用に対する、請求項５から１２までのいずれか１項記載の方法。
【請求項１４】
コンピュータシステム内で実行される１つまたは複数のプロセスを用いて、請求項１から４までのいずれかに記載の電子データ構造を処理するコンピュータシステムであって、
・プログラム命令を有するメモリと、
・データを入力するための入力手段と、
・データを記憶するための記憶手段と、
・前記プログラム命令に応答するプロセッサを有しており、
当該プログラム命令は、１つまたは複数の前記電子データ構造内に含まれている１つまたは複数のベンチマーク定義またはベンチマークデータを、ビジネスプロセスをサポートするためのデータ構造またはソフトウェア内に組込むためのものである、
ことを特徴とする、コンピュータシステム。
【請求項１５】
前記ベンチマーク定義の組込みが自動的に行われ、
１つまたは複数の前記電子データ構造を読出すステップと、
１つまたは複数の前記電子データ構造内のベンチマーク定義に対する１つまたは複数のキーワードを認識するステップと、
１つまたは複数の当該キーワードによって識別された情報をデータベース構造内に書き込むステップと、を含む、請求項１４記載のコンピュータシステム。
【請求項１６】
前記ベンチマークデータの組込みが自動的に行われ、
１つまたは複数の前記電子データ構造を読出すステップと、
１つまたは複数の前記電子データ構造内のベンチマークデータに対する１つまたは複数のキーワードを認識するステップと、
１つまたは複数の当該キーワードによって識別された情報をデータベース構造内に書き込むステップと、請求項１４または１５記載のコンピュータシステム。
【請求項１７】
キーワードによって識別された前記情報と、前記情報が書き込まれているデータベース構造が相互にアルゴリズムによって割り当てられている、請求項１４から１６まで記載のコンピュータシステム。
【請求項１８】
前記アルゴリズムは１つまたは複数のテーブルまたは、１つまたは複数の規則を含む、請求項１７記載のコンピュータシステム。
【請求項１９】
１つまたは複数の前記規則は１つまたは複数のテーブルに含まれている、請求項１８記載のコンピュータシステム。
【請求項２０】
前記データベース構造は事前に定められる、請求項１６から１９までのいずれか１項または複数項に記載のコンピュータシステム。
【請求項２１】
前記電子データ構造内に含まれているベンチマーク定義を、ビジネスプロセスをサポートするためのソフトウェア内に含まれている相当するベンチマーク定義に、テーブルを用いてマッピングし、
当該テーブル内では、前記電子データ構造内のベンチマーク定義の第１のＩＤが、ビジネスプロセスをサポートするためのソフトウェア内のベンチマーク定義の第２のＩＤに割り当てられている、請求項１４から２０までのいずれか１項または複数項に記載のコンピュータシステム。
【請求項２２】
ビジネスプロセスをサポートするためのソフトウェア、殊に企業資源計画ソフトウェアでの使用に対する、請求項１４から２１までのいずれか１項記載のコンピュータシステム。
【請求項２３】
コンピュータシステム内で実行される１つまたは複数のプロセスを用いて、請求項１から４までのいずれかに記載の電子データ構造を処理するための命令を含む、コンピュータ読出し可能な媒体であって、
１つまたは複数の前記電子データ構造内に含まれている１つまたは複数のベンチマーク定義またはベンチマークデータを、ビジネスプロセスをサポートするためのデータ構造またはソフトウェア内に組込むための命令を含む、
ことを特徴とする、コンピュータ読出し可能な媒体。
【請求項２４】
前記ベンチマーク定義の組込みが自動的に行われ、
１つまたは複数の前記電子データ構造を読出すステップと、
１つまたは複数の前記電子データ構造内のベンチマーク定義に対する１つまたは複数のキーワードを認識するステップと、
１つまたは複数の当該キーワードによって識別された情報をデータベース構造内に書き込むステップと、を含む、請求項２３記載のコンピュータ読出し可能な媒体。
【請求項２５】
前記ベンチマークデータの組込みが自動的に行われ、
１つまたは複数の前記電子データ構造を読出すステップと、
１つまたは複数の前記電子データ構造内のベンチマークデータに対する１つまたは複数のキーワードを認識するステップと、
１つまたは複数の当該キーワードによって識別された情報をデータベース構造内に書き込むステップと、を含む、請求項２３または２４記載のコンピュータ読出し可能な媒体。
【請求項２６】
キーワードによって識別された前記情報と、前記情報が書き込まれているデータベース構造を相互にアルゴリズムによって割り当てる、請求項２４または２５記載のコンピュータ読出し可能な媒体。
【請求項２７】
前記アルゴリズムは１つまたは複数のテーブルまたは、１つまたは複数の規則を含む、請求項２６記載のコンピュータ読出し可能な媒体。
【請求項２８】
１つまたは複数の前記規則は１つまたは複数のテーブルに含まれている、請求項２７記載のコンピュータ読出し可能な媒体。
【請求項２９】
前記データベース構造は事前に定められる、請求項２５から２８までのいずれか１項または複数項に記載のコンピュータ読出し可能な媒体。
【請求項３０】
前記電子データ構造内に含まれているベンチマーク定義を、ビジネスプロセスをサポートするためのソフトウェア内に含まれている相当するベンチマーク定義に、テーブルを用いてマッピングし、
当該テーブル内では、前記電子データ構造内のベンチマーク定義の第１のＩＤが、ビジネスプロセスをサポートするためのソフトウェア内のベンチマーク定義の第２のＩＤに割り当てられている、請求項２３から２９までのいずれか１項または複数項に記載のコンピュータ読出し可能な媒体。
【請求項３１】
ビジネスプロセスをサポートするためのソフトウェア、殊に企業資源計画ソフトウェアでの使用に対する、請求項２３から３０までのいずれか１項記載のコンピュータ読出し可能な媒体。
【請求項３２】
搬送波内に組込まれているコンピュータデータ信号であって、
コンピュータシステム内で実行される１つまたは複数のプロセスを用いて、請求項１から４までのいずれかに記載の電子データ構造を処理するためのコードを有しており、
前記コードは、１つまたは複数の前記電子データ構造内に含まれている１つまたは複数のベンチマーク定義またはベンチマークデータを、ビジネスプロセスをサポートするためのデータ構造またはソフトウェア内に組込むための命令を含む、
ことを特徴とするコンピュータデータ信号。